(57)【要約】【課題】サムターン回しに対抗し得る防犯性の高い防犯ドアを提供する。【解決手段】防犯ドアは、両面に表面パネル１である室外側表面金属板１Ａと室内側表面金属板１Ｂとを備えるドア本体１０と、前記ドア本体１０の開閉をロックするためのドアロック機構３とを備える。この防犯ドアは、前記室内側表面金属板１Ｂの内側の面に、少なくとも前記ドアロック機構３の周辺部分において、ガラス板２を固定している。【効果】ガラス板２は、通常の金属ドリルでは穿孔できないので、穴をあけてサムターンを操作するサムターン回しが有効に阻止される。【選択図】  図２
2005009201.tif 000002
【特許請求の範囲】
【請求項１】
両面に表面パネル（１）である室外側表面金属板（１Ａ）と室内側表面金属板（１Ｂ）とを備えるドア本体（１０）と、前記ドア本体（１０）の開閉をロックするためのドアロック機構（３）を備える防犯ドアであって、
前記室内側表面金属板（１Ｂ）の内側の面に、少なくとも前記ドアロック機構（３）の周辺部分において、ガラス板（２）を固定してなることを特徴とする防犯ドア。
【請求項２】
請求項１に記載される防犯ドアであって、前記ガラス板（２）の表面であって、前記室内側表面金属板（１Ｂ）に対向する面と反対側の面に金属板（４）を固定してなることを特徴とする防犯ドア。
【請求項３】
請求項２に記載される防犯ドアであって、前記ガラス板（２）を接着材（５）で室内側表面金属板（１Ｂ）に貼着すると共に、前記金属板（４）を接着材（５）でガラス板（２）に貼着して固定してなることを特徴とする防犯ドア。
【請求項４】
請求項１に記載される防犯ドアであって、前記ガラス板（２）の表面であって、前記室内側表面金属板（１Ｂ）に対向する面と反対側の面に硬質プラスチック板を接着してなることを特徴とする防犯ドア。
【請求項５】
請求項１から４のいずれかに記載される防犯ドアであって、前記ガラス板（２）は内部に金属ワイヤ（８）もしくはプラスチック層（９）を含むことを特徴とする防犯ドア。
【請求項６】
請求項１から５のいずれかに記載される防犯ドアであって、ドア本体（１０）の内部であって、前記室外側表面金属板（１Ａ）と前記ガラス板（２）との間に補強枠（１２）を配設しており、前記補強枠（１２）でガラス板（２）を内側から支持してなることを特徴とする防犯ドア。
【請求項７】
請求項６に記載される防犯ドアであって、前記補強枠（１２）を、ドア本体（１０）の内部の上部から下部まで延長して配設してなることを特徴とする防犯ドア。
【請求項８】
請求項６または７に記載される防犯ドアであって、前記補強枠（１２）をドア本体（１０）のドアロック機構（３）を備える側に配設してなることを特徴とする防犯ドア。
【請求項９】
両面に表面パネル（１）である室外側表面金属板（１Ａ）と室内側表面金属板（１Ｂ）とを備えるドア本体（１０）と、前記ドア本体（１０）をドア枠（７）に装着した際に前記ドア本体（１０）の開閉をロックするためのドアロック機構（３）を備える防犯ドアと、前記防犯ドアを装着するドア枠（７）とを備えるドア枠ユニットであって、
前記室内側表面金属板（１Ｂ）の内側の面に、少なくとも前記ドアロック機構（３）の周辺部分において、ガラス板（２）を固定してなることを特徴とするドア枠ユニット。
【発明の詳細な説明】
【０００１】
【発明の属する技術分野】
本発明は、建物用のドアとしてサムターン回し等の防犯対策を講じた防犯ドアおよびドア枠ユニットに関する。
【０００２】
【従来の技術】
建物用ドアに関する防犯対策の必要性が近年高まっている。特に、ピッキングと呼ばれる手口による窃盗事件が問題となっている。ピッキングは、ピックと呼ばれる針金状の解錠工具を用いて、ドアを開錠する犯罪手法である。この方法は作業が短時間で済む上錠を破壊しないため、被害者が犯行に気づき難い。特にディスクシリンダ錠がピッキングに弱いとされているため、ピッキング対策としてはシリンダを交換したディンプルキーを使用するタイプの錠が有効とされている。
【０００３】
また、カム送り解錠と呼ばれる手口も存在する。カム送り解錠とは、特殊な道具を用いて、錠シリンダーを迂回し、直接錠ケース内部に働きかけてデッドボルトを作動させ解錠する手口をいい、別名  「バイパス解錠」とも呼ばれる。この手口に対しても、錠を交換して、特殊な道具が直接デッドボルトに接触することのないよう錠ケース奥部にカバーを取付ける等の対策を施した錠とすることで、安全性が向上する。
【０００４】
これらピッキングあるいはカム送りといった手口に対しては、いずれも錠を交換することで対抗することができる。しかしながら、このような手口に対する対策を講じたドアでも対抗できない「サムターン回し」と呼ばれる手口が新たに登場し、急速に被害が拡大している。これは、玄関ドアにドリル等で穴を開け、針金を差し込んで内側からサムターンを回して解錠する手口である。サムターンとは、ドアの内側に設けられたつまみで、つまみを回して鍵のロックとロック解除を切り替える。サムターン回しは、まずドリル等で金属製ドアのノブの近傍に穴を開けた後、この穴に針金を折曲して先端を細工した道具を差し込み、先端をサムターンに引っ掛けて回すことにより鍵のロックを解除する方法である。
【０００５】
【発明が解決しようとする課題】
サムターン回し対策として、例えばサムターン部分にキャップ等を被せ、サムターンに針金が引っ掛けられないようにする方法が提案されている。特にペットボトルなどを切って、両面テープで貼って覆う方法が提唱されている。しかしながら、このような方法は施錠の前に一々キャップ等をセットする必要があり非常に面倒となる。さらに、ライター等によりこのようなキャップ部分を溶かす手口も報告されており、有効な対策とはなり得ないのが実情である。
【０００６】
また一方で、このような犯罪に対して解錠を困難にする方法としては、例えばドアの材質を極めて強固にする、あるいは施錠を電子式の鍵とする等の方法が考えられる。しかしながら、ドアを強固にすると、それだけドアが厚く重くなり、ドアとしての本来の使い勝手が悪くなる上、材料や施工コストがかかるという欠点がある。また、侵入者が金属用の穿孔ドリルを使用する以上、金属製のドアを使用する限りは根本的な解決となり得ない。一方、電子式の鍵に交換するには多くのコストがかかる。また、内側から手動でサムターンやつまみ等により解錠する機構を設ける場合は、解決策とならない。かといって、内側からの解錠にも電子キーを使用する構成では、在宅時における施錠も面倒になり使い勝手が悪くなるという問題もある。
【０００７】
一方で、侵入者はドアの解錠に５分以上要する場合は解錠を断念するという報告がなされている。この観点から、解錠に５分以上を要する堅牢なドアが防犯対策上要求されている。
【０００８】
本発明は、このような要求に鑑みてなされたものである。本発明の目的は、サムターン回しのような窃盗を効果的に阻止できる防犯ドアおよびドア枠ユニットを提供することにある。
【０００９】
【課題を解決するための手段】
上記目的を解決するために、本発明の請求項１に記載される防犯ドアは、両面に表面パネル１である室外側表面金属板１Ａと室内側表面金属板１Ｂとを備えるドア本体１０と、前記ドア本体１０の開閉をロックするためのドアロック機構３とを備える。この防犯ドアは、前記室内側表面金属板１Ｂの内側の面に、少なくとも前記ドアロック機構３の周辺部分において、ガラス板２を固定している。
【００１０】
この構成によって、室内側表面金属板１Ｂとガラス板２を組み合わせた複合材からなるドアを構成でき、金属用ドリルのみでは容易に穿孔できない防犯性を高めたドアが実現される。
【００１１】
また、請求項２に記載される防犯ドアは、前記ガラス板２の表面であって、前記室内側表面金属板１Ｂに対向する面と反対側の面に金属板４を固定してなることを特徴とする。
【００１２】
この構成によって、ガラス板２が外れないように確実に保持すると共に、侵入者が万一ガラスを割った際にもガラスが散乱しないようにドアの内面に保持できる。
【００１３】
さらに、請求項３に記載される防犯ドアは、請求項２に記載される防犯ドアであって、前記ガラス板２を接着材５で室内側表面金属板１Ｂに貼着すると共に、前記金属板４を接着材５でガラス板２に貼着して固定することを特徴とする。
【００１４】
この構成によって、簡単かつ容易にガラス板２を室内側表面金属板１Ｂに固定できると共に、金属板４をガラス板２の表面に固定できる。
【００１５】
また、請求項４に記載される防犯ドアは、前記ガラス板２の表面であって、前記室内側表面金属板１Ｂに対向する面と反対側の面に硬質プラスチック板を接着してなることを特徴とする。
【００１６】
この構成によって、ガラス板２が外れないように確実に保持すると共に、侵入者が万一ガラスを割った際にもガラスが散乱しないようにドアの内面に保持できる。とくに、このドアは軽量にできる特長がある。
【００１７】
さらにまた、請求項５に記載される防犯ドアは、請求項１から４のいずれかに記載される防犯ドアであって、前記ガラス板２は内部に金属ワイヤ８もしくはプラスチック層９を含むことを特徴とする。
【００１８】
この構成によって、ガラス板２を強化し、より割れにくい、あるいは貫通しにくいガラス板２として信頼性を高めることができる。
【００１９】
さらに、請求項６に記載される防犯ドアは、請求項１から５のいずれかに記載される防犯ドアであって、ドア本体１０の内部で、前記室外側表面金属板１Ａと前記ガラス板２との間に補強枠１２を配設しており、前記補強枠１２でガラス板２を内側から支持することを特徴とする。
【００２０】
この構成によって、ガラス板２が室内側表面金属板１Ｂから剥がれるのを有効に防止できる。
【００２１】
さらにまた、請求項７に記載される防犯ドアは、請求項６に記載される防犯ドアであって、前記補強枠１２を、ドア本体１０の内部の上部から下部まで延長して配設してなることを特徴とする。
【００２２】
この構成によって、ガラス板２をより確実に支持して、室内側表面金属板１Ｂから剥がれるのを有効に防止できると共に、ドア本体１０をより強固に補強できる特長がある。
【００２３】
さらにまた、請求項８に記載される防犯ドアは、請求項６または７に記載される防犯ドアであって、前記補強枠１２を、ドア本体１０のドアロック機構３を備える側に配設してなることを特徴とする。
【００２４】
この構成によって、ドアの開閉時に、とくに衝撃を受けやすいドアの戸先側を補強して、ガラス板２が室内側表面金属板１Ｂから剥がれるのを有効に防止できる。また、ドアロック機構３の近傍を補強して、この部分がバール等でこじ開けられるのを有効に防止できる特長もある。
【００２５】
また、請求項９に記載されるドア枠ユニットは、両面に表面パネル１である室外側表面金属板１Ａと室内側表面金属板１Ｂとを備えるドア本体１０と、前記ドア本体１０をドア枠７に装着した際に前記ドア本体１０の開閉をロックするためのドアロック機構３とを備える防犯ドアと、前記防犯ドアを装着するドア枠７とを備える。このドアユニットは、防犯ドアが前記室内側表面金属板１Ｂの内側の面に、少なくとも前記ドアロック機構３の周辺部分において、ガラス板２を固定してなることを特徴とする。
【００２６】
この構成によって、室内側表面金属板１Ｂとガラス板２を組み合わせた複合材からなるドアとして、ドリルによる穿孔を困難として防犯性を高めたドア枠ユニットが実現される。
【００２７】
【発明の実施の形態】
以下、本発明の実施例を図面に基づいて説明する。ただし、以下に示す実施例は、本発明の技術思想を具体化するための防犯ドアおよびドア枠ユニットを例示するものであって、本発明は防犯ドアおよびドア枠ユニットを以下のものに特定しない。さらに、この明細書は、特許請求の範囲を理解し易いように、実施の形態に示される部材に対応する番号を、「特許請求の範囲の欄」、および「課題を解決するための手段の欄」に示される部材に付記している。ただ、特許請求の範囲に示される部材を、実施の形態の部材に特定するものでは決してない。また各図面が示す部材の大きさや位置関係などは、説明を明確にするため誇張していることがある。さらに、本発明を構成する各要素は、複数の要素を同一の部材で構成して一の部材で複数の要素を兼用する態様としてもよい。
【００２８】
本発明の防犯ドアは、建物用のドアとして使用でき、室内用のドア、あるいは室外、玄関用ドアなどいずれの用途においても使用できるが、好適には侵入者の進入経路に面するドア、例えば玄関ドアや勝手口ドアなど外部に面する入り口のドアに使用する。
【００２９】
本発明の一実施例に係る防犯ドアの概要を図１ないし図３に示す。図１はドアの正面図、図２は図１のドアのＡ−Ａ’線における縦断面図、図３は図１のドアのＢ−Ｂ’線における水平断面図である。この図に示すように、防犯ドアは、ドアの両面に表面パネル１として室外側表面金属板１Ａと室内側表面板１Ｂがそれぞれ固定される。このドアは、縦枠１１Ａと横枠からなる方形状の枠体１１の両面に室外側表面金属板１Ａと室内側表面板１Ｂとを固定してドア本体１０としている。さらに、ドアは、ドア本体１０の開閉をロックするためのドアロック機構３を、ドアの戸先側に備える。このドアはドア枠７に開閉自在に固定される。ドアやドア枠７の具体的な大きさや厚さ、色、材質等は、用途に応じた既存のタイプが使用できる。
【００３０】
［ガラス板２］
室内側表面金属板１Ｂの内側の面には、ガラス板２が固定されている。ガラス板２は、接着材５を介して室内側表面金属板１Ｂに接着される。金属製のドアにガラス板２を組み合わせることで、ドリルによる穿孔を極めて困難とする。一般に金属に比べてガラスは極めて堅く、金属用ドリルでの穿孔はできない。ガラスを穿孔するにはダイヤモンドビットをハンドドリルや低速ドリルに取り付け、ビットの加熱を防ぐため水をかけながら回転させる必要があり、特殊な工具が必要で金属製のドアに比べて簡単に穿孔することができず、また時間も手間もかかる。報告によれば、解錠に５分以上要する場合は侵入者は侵入を諦めるとされているので、上記の構成によって解錠に要する時間と手間をかけさせ、侵入者の意欲をそぎ解錠を断念させる効果が期待できる。
【００３１】
ガラス板２は、通常のガラスの他、強化ガラスを使用できる。例えば、図４に示すように内部にプラスチック層９を設けるタイプや、図５に示すように金属のワイヤ８をメッシュ状にして埋め込んだタイプなどが適宜利用できる。プラスチック層９を設けるガラスは、柔らかいプラスチックと固いガラスの複合層とすることで、ガラス用のドリルを使用しても穿孔を困難とする。プラスチック層９を穿孔しようとすると、プラスチックの切り屑や粉末が発生し、ドリル等の回転体の表面にこれらの屑やプラスチック粉が付着して、刃面の切れ味を低下させるからである。よって穿孔を継続するにはドリルの刃に付着した粉屑を除去してやる必要があり、手間がかかる。したがって、この方法でも侵入者の解錠を面倒にできるため、サムターン回し対策を実現できる。また、金属ワイヤ８入りのガラス板２はガラス板２自体の強度を増し、割れにくくできる。これによって、ガラスを割られるリスクを回避して防犯ドアの信頼性を高めることができる。
【００３２】
［金属板４］
室内側表面金属板１Ｂの内面に貼着されたガラス板２には、金属板４を固定してガラス板２を保護している。この金属板４は、ガラス板２の表面であって、室内側表面金属板１Ｂに対向する面と反対側の面に固定している。すなわち、ガラス板２は、室内側表面金属板１Ｂと金属板４とで、両側から挟着される状態で固定されている。金属板４は、鉄板とすることができる。ただ、金属板は、鉄以外の金属板とすることもできる。金属板４は、ガラス板２とほぼ同じ大きさ及び形状として、ガラス板２の表面に固定する。金属板４は、接着材５を介してガラス板２の表面に貼着される。この構造のドアは、ガラス板２が外れないように金属板４で確実に保持できると共に、ガラスが割れた際にも散乱しないようにドアの内面に保持できる。さらに、ガラス板２の表面に配設される金属板４は、ドリル穿孔時に受ける応力からガラスを保護できる。
【００３３】
図の例では、室内側表面金属板１Ｂの厚さを０．６ｍｍ、ガラス板２の厚さを３ｍｍ、金属板４の厚さを１．６ｍｍとしている。さらに、図に示すドアは、ガラス板２の片面にのみ金属板４を貼着している。ただ、金属板は、図示しないが、ガラス板の両面に貼着することもできる。とくに、室内側表面金属板が、内面に凹凸を有する場合、ガラス板と室内側表面金属板との間に金属板を貼着することによってガラス板をより確実に室内側表面金属板に固定できる。
【００３４】
さらに、本発明は、金属板に代わって、硬質のプラスチック板等の補強プレートを配設して、同様の効果を得ることができる。この構造のドアも、硬質プラスチック板である補強プレートによって、ガラス板が外れないように確実に保持できる特長がある。とくに、このドアは、軽量にできる。
【００３５】
［接着材５］
室内側表面金属板１Ｂとガラス板２との接触面、及び金属板４とガラス板２との接触面に接着材５を塗布し、これによって、室内側表面金属板１Ｂとガラス板２と金属板４とを接着する。接着材５は、好ましくはエポキシ系、ウレタン系などの接着剤が利用できる。接着材５でガラス板２を室内側表面金属板１Ｂと金属板４に固定することで、万一ガラス板２が割られても、ガラス片は割れた状態で室内側表面金属板１Ｂや金属板４に固定され、破片が散乱することが防止されると共に、ガラス板２の割れた隙間をぬってドリルで穿孔することを困難とする。また、接着材５としてゴム系の接着剤を使用しても良い。ゴム系接着剤は粘性があるため、仮にドリル等の回転体でドアを穿孔しようとしても、粘性のある接着剤がドリルに絡まって、ドリル表面が接着剤で覆われ、切れ味が極減させて穿孔の進行が困難になる。よって、粘性のある接着層をドアの断面に設けることで、ドリル等の穿孔に対抗することができる。例えば、接着剤を塗布した両面テープを利用すれば、金属板とガラス板２の貼り合わせ作業が容易となる。あるいは、接着剤を貼り合わせ面に別途塗布してもよい。また、接着材以外の固定方法も利用でき、例えばガラス板よりも一回り大きい金属板でガラス板を狭着した状態で、ドアの内部でガラス板の周囲を覆うように金属板を室内側表面金属板に溶着してガラス板を室内側表面金属板に固定する方法等も利用できる。
【００３６】
ガラス板２及び金属板４は、図２の断面図に示すようにドアロック機構３の近傍に設けられる。サムターン回しは、ドアロック機構３のサムターン近辺に金属用ドリル等で穿孔して行われる。このため、侵入者が穿孔し易い位置、すなわちドアロック機構３の近辺にガラス板２と金属板４を配置する。ガラス板２と金属板４を配置する範囲は、仮にこれらを避けて侵入者が穿孔しても、針金などを挿入して先端をサムターンに接触、操作できないような十分遠い距離とする。例えば、ドアロック機構３のサムターンの位置を中心として、ここから５０ｃｍ〜１ｍを半径とする領域にガラス板２と金属板４を配置する。これによって、ガラス板２と金属板４を設けない位置に穿孔してもサムターンまで遠すぎてサムターンを操作することができず、解錠できなくする。このように、必要な範囲のみをガラス板２と金属板４で覆うことで、使用材料を少なくしてコスト削減やドアの重量増加を軽減できる。ただ、図６に示すように、ドアのほぼ全面にわたってガラス板２と金属板４を配設することもできる。
【００３７】
ガラス板２及び金属板４は、ドアの内部に設けられるので、ドアの外部表面には表出せず、ドアの意匠を損ねることはない。また図２の例では、ガラス板２をドアの室内側表面金属板１Ｂの内側の面に設けている。これによって、室外側表面金属板１Ａからの距離を遠くし、仮に室外側表面金属板１Ａが穿孔されてもガラス板２を見え難くできる。特に、ガラス板２の内側の面に金属板４を固定して、ガラス板２の表面を金属板４で覆っているのでガラス層の存在が判り難い。また、室外側表面金属板１Ａの内側の面に、金属板４及びガラス板２を配置すると、ガラス板２が破損しやすくなるので、これを防ぐ効果もある。侵入者がハンマーなどでドアを叩くと、その衝撃で室外側表面金属板１Ａとガラス板２と金属板４との接着が剥離されてガラス板２や金属板４が外れたり、ガラス板２が割れたりするおそれがある。また室外側表面金属板１Ａが比較的薄いため、外部近傍にガラス板２を配置するとドリルで穿孔された際にガラス板２の存在が侵入者に気付かれるおそれもある。よって、ガラス板２及び金属板４は、室内側表面金属板１Ａに配置することが好ましい。ただ、ガラス板及び金属板は、室外側表面金属板に固定しても防犯の効果はある。したがって、ガラス板及び金属板は、室外側表面金属板に配置することもできる。とくに、金属板とガラス板を室内側表面金属板と室外側表面金属板の両方に配置することによって、さらに穿孔を困難にできる。
【００３８】
さらに、図示しないが、ガラス板２に加えてアルミニウム板やコンクリート板などの他の材質の層を積層、介在させることもできる。異種材質の層を設けることで、金属用のドリルでは穿孔できず、他のドリルと交換する必要が生じて解錠に余計な時間と手間がかかり、侵入を断念させる効果が期待できる。さらにまた、ドアの内側に粘性を有する粘着材を封入した粘着層を設けてもよい。この構成によっても、上記と同様ドリル等の回転体で穿孔する際に粘着材がドリル表面に糊状に付着し、鋭利な刃面が粘着材で被覆されて切れ味が低下し、穿孔の進行が困難としてサムターン回しを防止することができる。
【００３９】
［ハニカム構造体６］
ドアの芯体にはハニカム構造体６を使用する。図２の例においては、ガラス板２の間にハニカム構造体６としてハニカムコアを備える。このハニカムコアは、難燃性の紙製で構成され、軽量である。また断面を蜂の巣状とすることで強度を高め、さらに各ハニカムが空気層を構成し、防音、断熱効果を得られる。このため、ドアを軽量、強固にできる。ハニカム構造体６は軽量であるため、例えばドア全体を厚くするためにハニカム構造体６を厚くしても、ドアの重量は軽量に維持できる。ドアの厚さは、好ましくは３３ｍｍ〜５０ｍｍ、さらに好ましくは３６ｍｍ〜４０ｍｍとする。一般にガラス板２を厚くするに従って強度が増す。ただ、ガラス板２を厚くするに従って重量も重くなるので、ドアの使用目的に応じて支障のない重量となるように設定する。
【００４０】
［ドアロック機構３］
また、ドアはドアロック機構３を備えている。本発明はドアの構造に特長を有するものであって、ドアロック機構３に特長を有するものでないため、ドアロック機構を特定せず、ドアロック機構には、現在開発されている、あるいは将来開発されるものが適宜利用できる。例えば、図７に示すドアロック機構３が利用できる。図７（ａ）はドアに固定されるドアロック機構３の分解斜視図を、図７（ｂ）はその断面図をそれぞれ示している。好ましくは、ピッキングやカム送り等に対する対策を施したシリンダ錠を使用する。
【００４１】
［補強枠１２］
さらに、図３に示すドアは、ドア本体１０の内部であって、室外側表面金属板１Ａと室内側表面金属板１Ｂの間に補強枠１２を配設している。この補強枠１２は、ガラス板２を内側から支持して、ガラス板２が室内側表面金属板１Ｂから剥がれるのを防止する。図に示す補強枠１２は、断面形状がコ字状となるように金属板を折曲したものである。この補強枠１２は、一方の折曲片の外側面を室外側表面金属板１Ａの内側の面に固定し、他方の折曲片の外側面をガラス板２の表面に接着した金属板４に固定している。この補強枠１２は、金属板４を内側から支持して金属板４がガラス板２から剥がれるのを防止すると共に、この金属板４を介してガラス板２を内側から支持して、ガラス板２が室内側表面金属板１Ｂから剥がれるのを防止している。このように、内部に補強枠１２を備えるドアは、ドアが急に閉まったときの衝撃で、ガラス板２や金属板４が剥がれるのを有効に防止できる特長がある。
【００４２】
とくに、図３に示すドアは、ドア本体１０の戸先側であって、ドアロック機構３を備える側に補強枠１２を配設している。図の補強枠１２は、ドアロック機構３のロック裏板３Ａに接する状態で配設している。このように、ドアの戸先側に配設される補強枠１２は、ドアの開閉により、とくに衝撃を受けやすい戸先側の内部を確実に補強できる特長がある。さらに、ドアの戸先側に配設される補強枠１２は、ドアロック機構３がバール等の工具でこじ開けられるのを有効に防止できる特長もある。ただ、図示しないが、補強枠は、ドア本体の内部の複数箇所に配設することもできる。
【００４３】
さらに、図６に示すドアは、補強枠１２を、ドア本体１０の内部の上部から下部まで延長して配設している。図の補強枠は、枠体１１の上枠１１Ｂから下枠１１Ｃまで延長して設けている。このように、ドア本体１０の戸先側であって、上部から下部まで連続して配設される補強枠１２は、ドアの上部や下部の角部も補強できる特長がある。したがって、このドアは、角部がバール等の工具でこじ開けられて変形するのを有効に防止できる。
【００４４】
本実施の形態に係るドアは、開閉など容易に扱えるよう、軽量にすることが好ましい。この例では、ドア全体の重量が６０ｋｇ以下となるように各部材の材質、厚さ等を設定する。各層の厚みは、例えばガラス板２を２ｍｍ〜１５ｍｍ、好ましくは３ｍｍ〜１０ｍｍ、最も好ましくは３ｍｍ〜５ｍｍとする。また室外側表面金属板１Ａと室内側表面金属板１Ｂは、０．５ｍｍ〜４ｍｍのものが利用でき、例えば０．６ｍｍ、０．８ｍｍ、１．６ｍｍ、２．３ｍｍ、３．２ｍｍのものが利用できる。また、金属板４は、１ｍｍ〜８ｍｍ、好ましくは、容易に金属板が変形しない厚さ、たとえば、１．５ｍｍ〜４ｍｍが好ましい。
【００４５】
以上のように、本発明は、室内側表面金属板１Ｂにガラス板２を組み合わせた複合構造とすることで、穿孔を効果的に阻止できる。例えばコンクリートと金属の組み合わせであれば、ドリルを交換することで穿孔が可能であるが、ガラスは金属やコンクリートに比べて極めて硬度が高く、通常のドリルでは穿孔することができない。特にガラスを穿孔できるドリルには、ダイヤモンドビットのような特殊なビットが必要となる。従って、本発明の実施例に係る防犯ドアでは単にドリルのビットを交換することによって穿孔することができず、極めて高い堅牢性が実現される。穿孔を抑止できるため、ドアノブ部分には通常のサムターンが利用でき、電子式鍵のように使い勝手を悪くすることもない。むろん、ドアノブ部分の鍵には、既存の、あるいは将来開発される防犯対策の施された鍵を使用できる。例えばピッキングやカム送りに強い構造の鍵を使用して、サムターン回し以外の手口にも対向でき、防犯性をさらに高めることができる。またガラス板２は比較的入手が容易で安価であるから、ドアの製造コストを抑えることができる。このように本発明は、ガラス板２を追加するのみでドリル穿孔に対向できるため、簡単且つ安価な構成でサムターン回しに容易に対処できる。
【００４６】
【発明の効果】
以上説明したように、本発明の防犯ドアおよびドア枠ユニットは、防犯性を向上させ、特にサムターン回しによる侵入に対抗できる。それは、本発明が、表面パネルである室内側表面金属板にガラス板を組み合わせた構造としてドアを補強しているからである。ガラス板は金属用ドリルでは穿孔できないため、ガラスを使用することで単に金属用ドリルを使ってドアに貫通孔を開口し、サムターンを操作してごく短時間で解錠されるという事態を回避し得る。ガラスの穿孔には専用の工具が必要で時間も手間もかかることから、短時間での解錠ができず、侵入者に侵入を断念させる効果が期待できる。このように、本発明によれば簡単且つ安価な構成によってサムターン回しを効果的に阻止して、防犯性を高めて安心して使用できる防犯ドアおよびドア枠ユニットが実現できる。
【図面の簡単な説明】
【図１】本発明の一実施の形態に係る防犯ドアの正面図である。
【図２】図１に示すドアのＡ−Ａ’線断面図である。
【図３】図１に示すドアのＢ−Ｂ’線断面図である。
【図４】ガラス板の一例を示す斜視図である。
【図５】ガラス板の他の例を示す斜視図である。
【図６】本発明の他の実施の形態に係る防犯ドアの垂直断面図である。
【図７】ドアロック機構の一例を示す分解斜視図および断面図である。
【符号の説明】
１…表面パネル        １Ａ…室外側表面金属板  １Ｂ…室内側表面金属板
２…ガラス板
３…ドアロック機構    ３Ａ…ロック裏板
４…金属板
５…接着材
６…ハニカム構造体
７…ドア枠
８…金属ワイヤ
９…プラスチック層
１０…ドア本体
１１…枠体            １１Ａ…縦枠            １１Ｂ…上枠
１１Ｃ…下枠
１２…補強枠
【図１】
2005009201.tif 000003
【図２】
2005009201.tif 000004
【図３】
2005009201.tif 000005
【図４】
2005009201.tif 000006
【図５】
2005009201.tif 000007
【図６】
2005009201.tif 000008
【図７】
2005009201.tif 000009